(57)【要約】本発明は、ユーザー端末(ＵＥ)と基地局制御器(ＲＮＣ)を含むマルチメディアブロードキャスト/マルチキャストサービス(ＭＢＭＳ）を提供する非同期移動通信システムで、ＭＢＭＳデータのソフトコンバイニングをするための方法を提供する。この方法は、基地局制御器によってユーザー端末が位置した自セルと、前記自セルに隣接した少なくとも一つ以上の隣接セルそれぞれのＲＴＤ(Ｒｏｕｎｄ  Ｔｒｉｐ  Ｄｅｌａｙ）を測定する段階と、基地局制御器によって自セルと隣接セルそれぞれのＲＴＤを考慮して前記ユーザー端末が要求したＭＢＭＳデータを受信するように同一の伝送時点で前記ＭＢＭＳデータを伝送する段階と、ユーザー端末は同一の伝送時点でそれぞれのセルから伝送されるＭＢＭＳデータを受信してソフトコンバイニングを遂行する段階と、を有することを特徴とする。
2007529948.tif 000002
【特許請求の範囲】
【請求項１】
ユーザー端末(ＵＥ)と基地局制御器(ＲＮＣ)を含むマルチメディアブロードキャスト/マルチキャストサービス(ＭＢＭＳ）を提供する非同期移動通信システムで、ＭＢＭＳデータのソフトコンバイニングをするための方法であって、
基地局制御器によって前記ユーザー端末が位置した自セルと、前記自セルに隣接した少なくとも一つ以上の隣接セルそれぞれのＲＴＤ(Ｒｏｕｎｄ  Ｔｒｉｐ  Ｄｅｌａｙ）を測定する段階と、
前記基地局制御器によって自セルと前記隣接セルそれぞれのＲＴＤを考慮して前記ユーザー端末が要求したＭＢＭＳデータを受信するように同一の伝送時点で前記ＭＢＭＳデータを伝送する段階と、
前記ユーザー端末は前記同一の伝送時点でそれぞれのセルから伝送されるＭＢＭＳデータを受信してソフトコンバイニングを遂行する段階と、
を有することを特徴とする方法。
【請求項２】
前記自セルと前記隣接セルの各々にテストフレームを伝送し、前記テストフレームに対応する応答信号を受信して、前記基地局制御器を用いて前記自セルと前記隣接セルそれぞれのＲＴＤを測定する段階をさらに有することを特徴とする請求項１記載の方法。
【請求項３】
前記自セルと前記隣接セルの数により、前記伝送しようとするＭＢＭＳデータをコピーしてそれぞれの伝送時点を決定するために、前記基地局制御器を用いて基準時点より先にそれぞれのＲＴＤだけ該当セルに伝送する段階をさらに有することを特徴とする請求項１記載の方法。
【請求項４】
前記基地局制御器から前記ＭＢＭＳデータをセル各々が受信する段階と、
前記セルのＲＴＤを受信して前記ＭＢＭＳデータの伝送時点を検出する段階と、
前記ＭＢＭＳデータの伝送時点を放送チャンネルを用いて前記ユーザー端末に伝送する段階と、
をさらに有することを特徴とする請求項３記載の方法。
【請求項５】
ユーザー端末が位置した自セルと前記自セルに隣接する隣接セルに前記ユーザー端末が要求した放送サービスを提供する基地局制御器(ＲＮＣ)を含む非同期移動通信システムで、前記基地局制御器が前記放送サービスの伝送を制御する方法であって、
上位システムから前記放送サービスの開始を検出し、前記自セルと隣接セルがソフトコンバイニングを遂行するセルであるか否かを判定する段階と、
前記自セルと隣接セル各々に前記放送サービスを伝送する以前に任意のテストフレームを伝送してセルそれぞれのＲＴＤを計算する段階と、
それぞれの伝送時点を決定するために基準時点より先に前記計算されたＲＴＤだけ前記放送サービスを前記それぞれのセルに伝送する段階と、
を有することを特徴とする方法。
【請求項６】
前記基地局制御器によって前記セルの数だけ前記放送サービスを反復コピーし、前記セル各々に伝送する段階をさらに有することを特徴とする請求項５記載の方法。
【請求項７】
前記自セルと隣接セルの各々に前記放送サービスを伝送する以前に任意のテストフレームを伝送し、前記テストフレームに対応する応答信号を受信して前記基地局制御器を用いて前記セルそれぞれのＲＴＤを計算する段階をさらに有することを特徴とする請求項５記載の方法。
【請求項８】
前記基地局制御器から前記放送サービスを受信し、前記セルの前記ＲＴＤにより前記放送サービスの伝送時点を検出し、前記放送サービスの伝送時点を放送チャンネルを使用する前記ユーザー端末に伝送する段階をさらに有することを特徴とする請求項７記載の方法。
【請求項９】
前記放送チャンネルを通じて前記ユーザー端末は、前記セル各々から同一の伝送時点に伝送される前記放送サービスのデータを受信してソフトコンバイニングを遂行する段階をさらに有することを特徴とする請求項８記載の方法。
【請求項１０】
非同期移動通信システムでＭＢＭＳデータをソフトコンバイニングするためのシステムであって、
同一の伝送時点でそれぞれのセルから伝送されたＭＢＭＳデータを受信し、前記受信されたＭＢＭＳデータのソフトコンバイニングを遂行する端末と、
前記端末が位置した自セルと前記自セルに隣接した少なくとも一つ以上の隣接セルのＲＴＤを測定し、前記端末が要求したＭＢＭＳデータを受信するように前記自セルと前記隣接セルのＲＴＤを考慮して同一の伝送時点にＭＢＭＳデータを伝送する基地局制御器と、
を含むことを特徴とするソフトコンバイニングシステム。
【請求項１１】
前記基地局制御器は、前記自セルと前記隣接セルに任意のテストフレームを伝送し、前記テストフレームに対応する応答信号を受信して前記セルそれぞれのＲＴＤを計算することを特徴とする請求項１０記載のソフトコンバイニングシステム。
【請求項１２】
前記基地局制御器は、前記自セルと前記隣接セルの数により前記伝送しようとするＭＢＭＳデータをコピーし、それぞれの伝送時点を決定するために前記コピーされたＭＢＭＳデータを基準時点より先にＲＴＤだけ該当セルに伝送することを特徴とする請求項１０記載のソフトコンバイニングシステム。
【発明の詳細な説明】
【技術分野】
【０００１】
本発明はマルチメディアブロードキャスト/マルチキャストサービス(Ｍｕｌｔｉｍｅｄｉａ  Ｂｒｏａｄｃａｓｔ/Ｍｕｌｔｉｃａｓｔ  Ｓｅｒｖｉｃｅ：以下、“ＭＢＭＳ”とする)に関して、特に、基地局制御器がＭＢＭＳを提供するために自セルと隣接セルそれぞれの伝送時間を考慮してＭＢＭＳデータを伝送する方法に関するものである。
【背景技術】
【０００２】
最近、通信産業の発達により符号分割多重接続(Ｃｏｄｅ  Ｄｉｖｉｓｉｏｎ  Ｍｕｌｔｉｐｌｅ  Ａｃｃｅｓｓ：以下、“ＣＤＭＡ”とする)移動通信システムで提供するサービスは、音声サービスだけでなくパケットデータ、サーキットデータのような大容量のデータを伝送するマルチキャスティングマルチメディア通信に発展してきている。マルチキャスティングマルチメディア通信を支援するためには一つのデータソースから複数のユーザー端末(Ｕｓｅｒ  Ｅｑｕｉｐｍｅｎｔ：以下、“ＵＥ”とする)にサービスを提供するブロードキャスト/マルチキャストサービスが提案された。このブロードキャスト/マルチキャストサービスは、メッセージ中心のサービスであるセルブロードキャストサービス(Ｃｅｌｌ  Ｂｒｏａｄｃａｓｔ  Ｓｅｒｖｉｃｅ：以下、“ＣＢＳ”とする)と、リアルタイム映像及び音声、静止画像、文字などマルチメディアデータを支援するＭＢＭＳに分けられる。
【０００３】
ＭＢＭＳは、無線ネットワークを通じて同一のマルチメディアデータを複数のＵＥに伝送するサービスを通称する。このＭＢＭＳは、複数のＵＥが一つの無線チャンネルを共有するようにすることによって無線リソースを節約することが可能である。一方、ＣＢＳは、特定サービス地域に位置するすべてのＵＥに複数のメッセージを放送するサービスである。このとき、ＣＢＳを提供する特定サービス地域は、一つのセル内でＣＢＳが提供される全体領域を含むことが可能である。ＭＢＭＳは、音声データと映像データを同時に提供するサービスとして、大量の伝送リソースを要求する。したがって、一つのセル内で同時に多量のサービスが展開される可能性があるという側面で、このＭＢＭＳは放送チャンネルを通じて提供される。
【０００４】
図１は、同期移動通信システムでパケットデータを伝送する従来過程のタイミング関係を示す。
【０００５】
一般に、第３世代(３Ｇ)移動通信システムは、ＣＤＭＡ方式を使用する。このような３ＧＣＤＭＡ移動通信システムに対する標準化は、ヨーロッパ型標準方式である３ＧＰＰ(３ｒｄ  Ｇｅｎｅｒａｔｉｏｎ  Ｐａｒｔｎｅｒｓｈｉｐ  Ｐｒｏｊｅｃｔ)と米国型標準方式である３ＧＰＰ２によって別途に進行している。この３ＧＰＰシステムは、ＵＭＴＳ(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ)と呼ばれ、基地局間の通信が非同期に基づいて遂行される。一方、３ＧＰＰ２システムは、ＣＤＭＡ２０００システムと呼ばれ、基地局間の通信が同期に基づいて遂行される。ここで、同期システムと非同期システムとの区別は、衛星位置(Ｇｌｏｂａｌ  Ｐｏｓｉｔｉｏｎｉｎｇ  Ｓａｔｅｌｌｉｔｅ：ＧＰＳ)システムから外部同期時間情報を受信して同期を維持するか否かによってなされる。
【０００６】
同期システムで、すべての基地局は、同一の疑似雑音(Ｐｓｅｕｄｏ-ｒａｎｄｏｍ  Ｎｏｉｓｅ：以下、“ＰＮ”とする)コードを用いるが、各基地局は、ＰＮコードを位相遅延して相互に異なるＰＮコードのように用いる。その反面、非同期システムで、すべての基地局は相互に異なるＰＮコードを用いて基地局を区分することを特徴とする。
【０００７】
図２は、一般的な移動通信システムでソフトコンバイニング(ｓｏｆｔ  ｃｏｍｂｉｎｉｎｇ)方式を支援するセル領域を示す。図２を参照すると、任意のユーザー端末(ＵＥ)が、セル２０１に位置し、該セル２０１はＵＥが要求したＭＢＭＳを支援する。このとき、セル２０１に隣接した隣接セル２０２，２０３は、ＵＥが要求した同一のＭＢＭＳを提供する。セル２０１，２０２，２０３は、ＵＥのアクティブセットとして設定可能である。このとき、複数のセルを制御する基地局制御器(ＲＮＣ)は、ＵＥのＭＢＭＳデータの信頼性と関連してこれらセル２０１，２０２，２０３をソフトコンバイニング領域として設定可能である。
【０００８】
ソフトコンバイニンググループＡ(すなわち、セル２０１，２０２，２０３を含む領域)がＭＢＭＳによるソフトコンバイニングを遂行する場合に、ＵＥが位置したセル２０１はもちろん、隣接セル２０２，２０３は同一の時間でＭＢＭＳデータフレームを伝送するようになる。これは、同期システムの特性のため、それぞれのセルが外部基準時間情報によりＭＢＭＳデータストリームをソフトコンバイニング領域のＵＥに伝送するためである。
【０００９】
図１及び図２を参照して、ＵＥがＭＢＭＳを要求し、このＭＢＭＳに関連してデータ伝送が存在することを感知すると、基地局制御器は上位システムであるコアネットワークからＭＢＭＳデータを受信する。この受信されたＭＢＭＳデータは、ＭＢＭＳを要求するＵＥが位置したセルを管理する基地局(ここでは、セルと同一の概念)に伝送される。したがって、基地局１  １０１は、上位システムである基地局制御器からのＭＢＭＳデータストリームを受信し、基地局１  １０１内のバッファに貯蔵する。このとき、受信されたＭＢＭＳデータストリームのサイズは、Ｐ１＋Ｐ２＋Ｐ３で、このバッファはＦＩＦＯ(Ｆｉｒｓｔ-Ｉｎ  Ｆｉｒｓｔ-Ｏｕｔ)方式に基づいて動作すると仮定する。また、基地局２  １０２は、基地局制御器から受信されたＭＢＭＳデータストリームを内部のバッファに貯蔵する。このとき、基地局２  １０２から受信されたＭＢＭＳデータストリームのサイズはＰ１＋Ｐ２である。最後に、基地局３  １０３も、基地局制御器から受信されるＭＢＭＳデータストリームをその内部のバッファに貯蔵する。
【００１０】
このとき、ＭＢＭＳに関連してサービス通知が受信されると、サービス開始時点Ｔ０で各基地局はＭＢＭＳデータをＵＥに伝送し始める。基地局１  １０１は、開始時点Ｔ０＝Ｔ１でＭＢＭＳデータを伝送する。基地局２  １０２は開始時点Ｔ０＝Ｔ２でＭＢＭＳデータを伝送する。基地局３  １０３は開始時点Ｔ０＝Ｔ３でＭＢＭＳデータを伝送する。すなわち、上記に説明したように、同期移動通信システムで、各基地局１０１，１０２，１０３のＭＢＭＳデータの伝送開始時点は、外部基準時間情報により、それぞれＴ０＝Ｔ１，Ｔ０＝Ｔ２，Ｔ０＝Ｔ３に同一である。
【００１１】
したがって、セルからＭＢＭＳデータを受信したＵＥは、ソフトコンバイニングを遂行して伝送されたデータの信頼性を保証する。
【００１２】
これに関連して、ＭＢＭＳを支援する非同期移動通信システムもＵＥのＭＢＭＳデータの信頼性を保証するためのソフトコンバイニング方式の必要性が要求される。
【００１３】
しかしながら、ＭＢＭＳを支援する非同期移動通信システムの場合、外部基準時間情報を用いて同一の伝送時点の獲得は不可能である。すなわち、上記したように、非同期移動通信システムの場合に、基本的にＧＰＳシステムのような外部標準時間情報を使用しないため、それぞれの基地局は内部時間情報によりフレームを伝送する。それによって、非同期移動通信システムは、外部基準時間情報に基づいてＭＢＭＳデータを伝送するＭＢＭＳソフトコンバイニング方式を適用しないという問題点があった。
【００１４】
したがって、このような問題点によって、端末が要求したＭＢＭＳデータを受信し、同時にＭＢＭＳデータを伝送するためのシステム及び方法が必要となる。
【発明の開示】
【発明が解決しようとする課題】
【００１５】
したがって、上記のような従来技術の問題点を解決するために、本発明の目的は、ＭＢＭＳを提供する非同期移動通信システムでＵＥのＭＢＭＳデータの受信利得を増大させる方法を提供することにある。
【００１６】
また、本発明の目的は、ＭＢＭＳサービスを提供する非同期移動通信システムでソフトコンバイニングを遂行するための方法を提供することにある。
【課題を解決するための手段】
【００１７】
上記の目的を達成するために、本発明は、ユーザー端末(ＵＥ)と基地局制御器(ＲＮＣ)を含むマルチメディアブロードキャスト/マルチキャストサービス(ＭＢＭＳ）を提供する非同期移動通信システムで、ＭＢＭＳデータのソフトコンバイニングをするための方法であって、基地局制御器によって前記ユーザー端末が位置した自セルと、前記自セルに隣接した少なくとも一つ以上の隣接セルそれぞれのＲＴＤ(Ｒｏｕｎｄ  Ｔｒｉｐ  Ｄｅｌａｙ）を測定する段階と、前記基地局制御器によって自セルと前記隣接セルそれぞれのＲＴＤを考慮して前記ユーザー端末が要求したＭＢＭＳデータを受信するように同一の伝送時点で前記ＭＢＭＳデータを伝送する段階と、前記ユーザー端末は前記同一の伝送時点でそれぞれのセルから伝送されるＭＢＭＳデータを受信してソフトコンバイニングを遂行する段階と、を有することを特徴とする。
【００１８】
また、本発明は、ユーザー端末が位置した自セルと前記自セルに隣接する隣接セルに前記ユーザー端末が要求した放送サービスを提供する基地局制御器(ＲＮＣ)を含む非同期移動通信システムで、前記基地局制御器が前記放送サービスの伝送を制御する方法であって、上位システムから前記放送サービスの開始を検出し、前記自セルと隣接セルがソフトコンバイニングを遂行するセルであるか否かを判定する段階と、前記自セルと隣接セル各々に前記放送サービスを伝送する以前に任意のテストフレームを伝送してセルそれぞれのＲＴＤを計算する段階と、それぞれの伝送時点を決定するために基準時点より先に前記計算されたＲＴＤだけ前記放送サービスを前記それぞれのセルに伝送する段階と、を有することを特徴とする。
【発明の効果】
【００１９】
本発明は、外部基準時間情報を使用しない非同期移動通信システムで基地局制御器が各セルのＲＴＤ情報を用いてフレーム伝送時点を調整して同一時点でＭＢＭＳソフトコンバイニングを実現する効果を有する。それによって、非同期移動通信システムでＭＢＭＳを提供する場合に、ＵＥが複数のセルから同一の伝送時点で同一のＭＢＭＳデータを受信してソフトコンバイニングを遂行することによって、サービス品質を増大させる効果を有する。
【発明を実施するための最良の形態】
【００２０】
以下、本発明の望ましい実施形態を添付の図面を参照して詳細に説明する。
本発明に関連した公知の機能又は構成に関する具体的な説明が本発明の要旨を不明にすると判断された場合に、その詳細な説明を省略する。
【００２１】
本発明の実施形態は、外部基準時間情報がない非同期移動通信システムで同一の伝送時点に複数のセルがＭＢＭＳを提供する方法を含む。すなわち、基地局制御器(ＲＮＣ)は、ソフトコンバイニング領域のセル各々が時間情報(又は、クロック情報)を維持しつつ、ＭＢＭＳチャンネルのＭＢＭＳデータフレームの伝送時点を補正してソフトコンバイニングを遂行可能にする。それによって、ソフトコンバイニング領域のセルが同一の伝送時点でＭＢＭＳデータフレームを伝送し、ＭＢＭＳデータフレームを受信するＵＥは、ソフトコンバイニングを遂行してＭＢＭＳデータの信頼性を保証する。
【００２２】
ここで、ＭＢＭＳは、無線ネットワークを通じて同一のマルチメディアデータを複数の受信者に伝送するサービスを通称する。このとき、複数の受信者が一つの無線チャンネルを共有するため、無線伝送リソースが節約される。例えば、ＭＢＭＳサービスは、株式情報サービス、スポーツ中継サービス、ＰＴＴ(Ｐｕｓｈ-ｔｏ-Ｔａｌｋ)サービスなどを含む。
【００２３】
図３は、本発明の実施形態により、ＭＢＭＳのための移動通信システムを簡略化した構成図を示す。例えば、図３は、３Ｇ非同期移動通信システムの標準である３ＧＰＰシステムにＭＢＭＳを適用した構成例を示す。
【００２４】
図３を参照すると、ＵＥ３０４，３０５，３０６，３０７，３０８は、第１のセル３０２の内に位置し、ＭＢＭＳの受信が可能な端末装置又は加入者を意味する。また、ＵＥ３０９，３１０，３１１，３１２，３１３は、第２のセル３０３の内に位置し、ＭＢＭＳの受信が可能な端末装置又は加入者を意味する。第１及び第２のセル３０２，３０３は、加入者にＭＢＭＳ関連データを伝送する基地局(Ｎｏｄｅ  Ｂ)装置を意味する。図示のように、第１のセル３０２とＵＥ３０４，３０５，３０６，３０７，３０８との間にＭＢＭＳのための一つの無線チャンネルのみが構成される。基地局制御器(ＲＮＣ)３０１は、複数のセルを制御する無線網制御器を意味し、マルチメディアデータを特定セルに選別的に伝送する役割を遂行し、ＭＢＭＳを提供するために設定されている無線チャンネルを制御する役割を遂行する。このとき、第１のセル３０２と第２のセル３０３は、ＲＮＣ３０１から同一のＭＢＭＳを受信して該当ＵＥグループ、すなわち、ＵＥ３０４，３０５，３０６，３０７，３０８及びＵＥ３０９，３１０，３１１，３１２，３１３に提供する。
【００２５】
また、ＳＧＳＮ(Ｓｅｒｖｉｎｇ  ＧＰＲＳ(Ｇｅｎｅｒａｌ  Ｐａｃｋｅｔ  Ｒａｄｉｏ  Ｓｅｒｖｉｃｅ)  Ｓｕｐｐｏｒｔ  Ｎｏｄｅ)３００は、それぞれのＵＥのＭＢＭＳ関連サービスを制御する。代表的に、ＳＧＳＮ３００は、各加入者のサービス課金関連データを管理する役割と、マルチメディアデータを特定基地局制御器に選別的に伝送する役割を含む。中継ネットワーク(ｔｒａｎｓｉｔ  ｎｅｔｗｏｒｋ)３１４は、ＢＭ-ＳＣ(Ｂｒｏａｄｃａｓｔ/Ｍｕｌｔｉｃａｓｔ  Ｓｅｒｖｉｃｅ  Ｃｅｎｔｅｒ)３１６とＳＧＳＮ３００との間の通信路を提供し、ＧＧＳＮ(Ｇａｔｅｗａｙ  ＧＰＲＳ  Ｓｕｐｐｏｒｔ  Ｎｏｄｅ）と外部ネットワークなどで構成されることが可能である。ＢＭ-ＳＣ３１６は、ＭＢＭＳデータのソースとして、各サービス別にデータのスケジューリングを担当する。
【００２６】
ＭＢＭＳデータストリームは、中継ネットワーク３１４、ＳＧＳＮ３００、ＲＮＣ３０１、セル３０２，３０３を経てＵＥグループ３０４，３０５，３０６，３０７，３０８及びＵＥグループ３０９，３１０，３１１，３１２，３１３に伝送される。図３に示していないが、一つのＭＢＭＳに対して複数のＳＧＳＮが使用可能で、各ＳＧＳＮに対して複数のＲＮＣが接続可能である。この場合に、各ＳＧＳＮは、ＲＮＣに、ＲＮＣはセルに選別的なＭＢＭＳデータの伝送を遂行しなければならない。このために、ＭＢＭＳデータストリームを伝送すべき対象のリスト(ＳＧＳＮではＲＮＣのリスト、ＲＮＣではセルのリスト)などを貯蔵する。以後、ＳＧＳＮとＲＮＣは、ＲＮＣリストとセルリストにそれぞれ貯蔵された対象ＲＮＣと対象セルにＭＢＭＳデータを選択的に伝送する。
【００２７】
図４は、本発明の実施形態により、セルそれぞれのＲＴＤを確認してソフトコンバイニングを遂行する過程を示す。図４を参照すると、ＲＮＣ４００は、任意のＭＢＭＳを要求したＵＥが位置したセル４１０，４２０，４３０にＭＢＭＳデータストリームを伝送する。このとき、ＭＢＭＳデータの信頼性に関連して、ＵＥはセル４１０，４２０，４３０をソフトコンバイニング領域として設定可能である。したがって、ＲＮＣ４００は、ＭＢＭＳデータの伝送により第１、第２、第３のセル４１０，４２０，４３０にそれぞれフレーム伝送時点の補正のためのテストフレームを伝送する。
【００２８】
すなわち、ＲＮＣ４００は、管理セルの中でソフトコンバイニングを遂行するセルを区分し、それぞれの第１のセル４１０、第２のセル４２０、第３のセル４３０にテストフレームを伝送して各セルの伝送遅延時間(Ｒｏｕｎｄ  Ｔｒｉｐ  Ｄｅｌａｙ：以下、“ＲＴＤ”とする）を測定する。このＲＴＤは、移動通信システムで各セルの位置情報に基づいたデータ伝送遅延時間であって、第１のセル４１０、第２のセル４２０、第３のセル４３０は相互に異なるＲＴＤを有する。
【００２９】
例えば、第１のセル４１０がＲＮＣ４００から最も近い距離に位置すると仮定すると、第１のセル４１０のＲＴＤ-１が最小値を有する。また、第３のセル４３０が、ＲＮＣ４００から最も遠い距離に位置すると仮定すると、第３のセル４３０のＲＴＤ-３が最大値を有する。
【００３０】
図５は、本発明の実施形態により、セルそれぞれのＲＴＤを考慮してＭＢＭＳデータを伝送する過程のタイミング関係を示す。図５を参照すると、ＲＮＣ５００は、第１のセルがＭＢＭＳデータ伝送開始時点であるＴ０より先の時点Ｔ１でＭＢＭＳを要求するＵＥにＭＢＭＳデータフレームを伝送する。すなわち、第１のセル(図４の４１０）は、ＭＢＭＳデータ伝送開始時点であるＴ０(又は、外部基準時間情報による伝送開始時点)から１/２だけ遅延されたＲＴＤ_１/２を有するセルで、ＲＮＣ５００は、データ伝送遅延時間であるＲＴＤ_１/２を考慮して第１のセルがＲＴＤ_１/２より先にＭＢＭＳデータを伝送する。それによって、第１のセルはＭＢＭＳデータ伝送開始時点であるＴ０でＭＢＭＳデータを伝送する。
【００３１】
また、ＲＮＣ５００は、第２のセル(図４の４２０）がＭＢＭＳデータ伝送開始時点Ｔ０より先の時点Ｔ２でＭＢＭＳデータフレームを伝送する。第２のセルはＭＢＭＳデータ伝送時点であるＴ０より２/２だけ遅延されたＲＴＤ_２/２を有するセルで、ＲＮＣ５００は、第２のセルがＲＴＤ_２/２だけ先にＭＢＭＳデータを伝送する。したがって、第２のセルは、ＭＢＭＳデータ伝送開始時点Ｔ０でＭＢＭＳデータを伝送する。
【００３２】
最後に、ＲＮＣ５００は、第３のセル(図４の４３０）がＭＢＭＳデータ伝送開始時点Ｔ０より先の時点Ｔ３でＭＢＭＳデータフレームを伝送する。すなわち、第３のセルは、ＭＢＭＳデータ伝送開始時点であるＴ０より３/２だけ遅延されたＲＴＤ_３/２を有するセルで、ＲＮＣ５００は第３のセルがＭＢＭＳデータ伝送開始時点Ｔ０より先の時点ＲＴＤ_３/３でＭＢＭＳデータを伝送する。
【００３３】
上述したように、ＲＮＣ５００は、各セルが自体的に有する固有時間情報であるＢＦＮ(Ｎｏｄｅ-Ｂ  Ｆｒａｍｅ  Ｎｕｍｂｅｒ)情報により、ＭＢＭＳデータフレームを伝送することでなく、外部基準時間と各セルのＲＴＤ時間とを考慮することによって、すなわち、要求されたＭＢＭＳの伝送開始時点でＭＢＭＳデータを伝送するように制御する。
【００３４】
図６は、本発明の実施形態により基地局制御器が各セルにパケットデータを伝送する手順を示すフローチャートである。図６を参照すると、ステップ６００で、ＲＮＣは、管理する領域でソフトコンバイニングを支援するセルを確認する。このとき、所定のＭＢＭＳを要求するＵＥのセルとその隣接セルがソフトコンバイニングを支援する場合に、ステップ６１０に進行する。ＲＮＣは、ステップ６１０で、ソフトコンバイニングを支援するセル別にテストフレームを伝送し、ステップ６２０でこのテストフレームの応答信号を受信する。したがって、ステップ６３０で、ＲＮＣは、その応答信号により各セルのＲＴＤを計算する。ステップ６４０で、ＲＮＣは、この計算されたＲＴＤに基づいて各セルの伝送開始時点を決定する。その後、ステップ６５０で、ＲＮＣは、ＭＢＭＳによるデータフレームをソフトコンバイニングを遂行するセルの数だけコピーする。その後、ステップ５５０で、ＲＮＣは、該当セル別にＲＴＤを考慮した伝送開始時点別にＭＢＭＳデータを伝送する。
【００３５】
すなわち、ＲＮＣからＭＢＭＳデータフレームを受信した該当セルは、ＵＥが要求するＭＢＭＳ伝送開始時点(基準開始時点)でＭＢＭＳデータフレームを同時に伝送する。
【００３６】
ここで、ＭＢＭＳは、別途のＭＢＭＳ専用チャンネルを使用してＭＢＭＳデータフレームを伝送することで、これは既存の回路サービスとは差別化されたサービスである。すなわち、ＭＢＭＳは、既存のチャンネルとフレーム同期が異なるため、ＵＥは、ＭＢＭＳチャンネルのフレーム開始時点とスロット開始点を把握することは難しい。したがって、ＲＮＣからＲＴＤを受信した該当セルは、このＲＴＤ値を放送チャンネルであるＢＣＨに含んで伝送する。このとき、ＲＴＤ値は、ＢＣＨの任意のフィールドに含まれ、既存のフレーム同期と区分するためにチップ単位で算出された値で表現される。したがって、セルからＲＴＤ値を受信したＵＥは、自分が受信すべきＭＢＭＳのフレーム開始時点とスロット開始時点を決定し、その該当時点でＭＢＭＳデータを受信する。
【００３７】
ソフトコンバイニング方式により、一つのセルからＭＢＭＳフレームのスロット開始点とフレーム開始点は、他のセルからＭＢＭＳフレームのスロット開始点とフレーム開始点が同一であるため、ＵＥは、複数のセルからＭＢＭＳチャンネルを受信して組み合わせる。したがって、ＵＥは、ＭＢＭＳによるチャンネルの受信感度を増加させ、誤り率を低下させることができる。
【００３８】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００３９】
【図１】同期移動通信システムでパケットデータを伝送する従来過程のタイミング関係を示す図である。
【図２】従来の移動通信システムでソフトコンバイニングを遂行するセルを示す図である。
【図３】本発明が適用される実施形態により、ＭＢＭＳのための移動通信システムの構成を示す図である。
【図４】本発明の実施形態により、セルそれぞれのＲＴＤを確認してソフトコンバイニングを遂行する過程を示す図である。
【図５】本発明の実施形態により、セルそれぞれのＲＴＤを考慮してＭＢＭＳデータを伝送する過程のタイミング関係を示す図である。
【図６】本発明の実施形態により、基地局制御器が各セルにＭＢＭＳデータを伝送する手順を示すフローチャートである。
【符号の説明】
【００４０】
３００  ＳＧＳＮ
３０１  ＲＮＣ
３０２，３０３  セル
３０４，３０５，３０６，３０７，３０８  ＵＥ
３０９，３１０，３１１，３１２，３１３  ＵＥ
３１４  中継ネットワーク
３１６  ＢＭ-ＳＣ
【図１】
2007529948.tif 000003
【図２】
2007529948.tif 000004
【図３】
2007529948.tif 000005
【図４】
2007529948.tif 000006
【図５】
2007529948.tif 000007
【図６】
2007529948.tif 000008
【国際調査報告】
2007529948.tif 000009
2007529948.tif 000010